(57)【要約】      （修正有）【課題】キャップの紛失のおそれがなく、片手で使用可能なキャップとタンパーエビデントバンドがストラップで連結されたプラスチックキャップを提供する。【解決手段】頂板部及びスカート部から成るキャップ本体と、スカート部下端に破断可能な弱化部を介して一体に形成されたタンパーエビデントバンド４から成るプラスチックキャップにおいて、スカート部１１外面とタンパーエビデントバンド４に両端がそれぞれ連結され、且つスカート部１１外面に沿って周方向に延びるストラップ５が形成されている。【選択図】図１
2007168842.tif 000002
【特許請求の範囲】
【請求項１】
頂板部及びスカート部から成るキャップ本体と、該スカート部下端に破断可能な弱化部を介して一体に形成されたタンパーエビデントバンドから成るプラスチックキャップにおいて、
前記スカート部外面とタンパーエビデントバンドに両端がそれぞれ連結され、且つスカート部外面に沿って周方向に延びるストラップが形成されていることを特徴とするプラスチックキャップ。
【請求項２】
前記タンパーエビデントバンドの上端に半径方向に突出したガイド部が形成されており、前記ガイド部の径がストラップが形成する円弧の最大径とほぼ同等乃至それ以上の大きさである請求項１記載のプラスチックキャップ。
【請求項３】
前記ストラップの両端部の間に、スカート部外面と連結する破断可能な橋絡部が形成されている請求項１又は２記載のプラスチックキャップ。
【請求項４】
前記ストラップの両端部におけるスカート部及びタンパーエビデントバンドとの連結部において、スカート部との連結部の破断強度がタンパーエビデントバンドとの連結部の破断強度よりも大きい請求項１乃至３の何れかに記載のプラスチックキャップ。
【発明の詳細な説明】
【技術分野】
【０００１】
本発明は、キャップ本体とキャップ本体下端に形成されたタンパーエビデントバンドがストラップで連結されたプラスチックキャップに関し、より詳細には、開蓋時のキャップの紛失が防止され、或いは片手で使用可能なプラスチックキャップに関する。
【背景技術】
【０００２】
キャップ本体及びキャップ本体下端に弱化部を介して形成されたタンパーエビデントバンドから成り、容器口部に螺子により装着されるプラスチックキャップにおいては、内容物の注出を行うには、キャップ及びタンパーエビデントバンドの間の弱化部を破断し、キャップ本体をタンパーエビデントバンドから分離して容器口部から取り外す必要がある。
この際、タンパーエビデントバンドから分離したキャップを紛失してリシールすることができなくなったり、屋外でにおいて使用する場合には、片手でキャップを保持して容器からの喫飲を行わなければならず、喫飲が面倒になることもある。
【０００３】
このような問題を解決するために、キャップ本体をタンパーエビデントバンドから完全に分離することなく、開蓋時においてキャップ本体下端に形成されたタンパーエビデントバンドとキャップ本体をストラップで連結したキャップが知られている。
例えば、上方から順にキャップ本体と連結帯と封緘リングとが連なりボトルの口頸部に螺合させて装着するキャップであって、前記キャップの下方の一側面に、前記キャップ本体の下端縁部位置から前記封緘リングの上端縁部位置にわたる縦長の切欠き部を設け、該切欠き部の上方の前記キャップ本体と前記連結帯との周方向の区分線位置に、前記切欠き部の前記キャップの螺脱方向側の隣接位置に接続部を設け、該接続部から前記切欠き部の前記キャップの螺着方向側に至る切断可能なスコアラインを設け、前記切欠き部の下方の前記連結帯と前記封緘リングとの周方向の区分線位置に、前記切欠き部の前記キャップの螺着方向側の隣接位置に接続部を設け、該接続部から前記切欠き部の前記キャップの螺脱方向側に至る切断可能なスコアラインを設け、かつ前記封緘リングの内周面に、前記キャップを螺脱するときに前記封緘リングをボトルの口頸部に固着させる固定部を設けたことを特徴とする封緘リング付キャップが提案されている（特許文献１）。
【０００４】
【特許文献１】特開２００４−３０７００６号公報
【発明の開示】
【発明が解決しようとする課題】
【０００５】
しかしながら、上記キャップのように、キャップ本体と連結帯（ストラップ）と封緘リングとが上下方向に連なっており、連結帯がキャップに形成されたスコアラインや橋絡部の破断によって形成されるような態様においては、キャップ本体と連結帯の間及び連結帯と封緘リング（タンパーエビデントバンド）の間の両方のスコアラインや橋絡部を完全に破断する必要があるが、この両方のスコアライン等を確実に破断することは困難である。またスコアライン等を破断でき、ストラップを形成できたとしても、特にキャップに口を付けて内容物を飲むとき等に、破断されたスコアラインの切断面や橋絡部が口に当たり、口当たりが悪いという印象を与えてしまうという問題もある。
【０００６】
従って本発明の目的は、上記のような問題を生ずることなく、キャップの紛失のおそれがなく、片手で使用可能なキャップとタンパーエビデントバンドがストラップで連結されたプラスチックキャップを提供することである。
【課題を解決するための手段】
【０００７】
本発明によれば、頂板部及びスカート部から成るキャップ本体と、該スカート部下端に破断可能な弱化部を介して一体に形成されたタンパーエビデントバンドから成るプラスチックキャップにおいて、前記スカート部外面とタンパーエビデントバンドに両端がそれぞれ連結され、且つスカート部外面に沿って周方向に延びるストラップが形成されていることを特徴とするプラスチックキャップが提供される。
本発明のプラスチックキャップによれば、
１．タンパーエビデントバンドの上端に半径方向に突出したガイド部が形成されており、前記ガイド部の径がストラップが形成する円弧の最大径とほぼ同等乃至それ以上の大きさであること、
２．ストラップの両端部の間に、スカート部外面と連結する破断可能な橋絡部が形成されていること、
３．ストラップの両端部におけるスカート部及びタンパーエビデントバンドとの連結部において、スカート部との連結部の破断強度がタンパーエビデントとの連結部の破断強度よりも大きいこと、
が好ましい。
【発明の効果】
【０００８】
本発明によれば、タンパーエビデントバンドとキャップがストラップで連結され、キャップの紛失やキャップの誤飲等のおそれが有効に防止され、また片手での使用が可能となる。
またキャップ、タンパーエビデントバンド及びストラップが一体的に成形可能であると共に、開封操作の際にストラップを形成する必要がなく、キャップ本体とタンパーエビデントバンドの間の弱化部を破断することができ、開封性にも優れている。
更に容器口部に直接口をつけて飲む場合でも、ストラップには切断面或いは多数の橋絡部の破断部分が存在することがないので、口当たりを損なうこともないという利点もある。
【発明を実施するための最良の形態】
【０００９】
本発明のプラスチックキャップにおいては、スカート部外面とタンパーエビデントバンドに両端がそれぞれ連結され、且つスカート部外面に沿って周方向に延びるストラップが形成されていることが重要な特徴である。
本発明においては、キャップ本体とタンパーエビデントバンドがストラップで連結されているため、開封の際キャップ本体とタンパーエビデントバンドの間の弱化部が破断され、キャップを取り外した場合にも、キャップ本体がタンパーエビデントバンドにストラップでつながっているため、キャップ本体を紛失してしまうことが有効に防止され、また片手での使用が可能となっている。
【００１０】
またタンパーエビデントバンドとキャップ本体を連結するストラップがキャップ本体の外周に予め形成されていることから、従来のストラップ付のキャップのようにキャップの開封時にスコア等を破断してストラップを形成する必要がないため、開封操作を確実に行うことができると共に、ストラップやスカート部に、切断面や多数の橋絡部の破断部分が形成されることがなく、直接口を付けて飲んだ場合でも口当たりの悪さというような問題を生じることがない。
【００１１】
また本発明のプラスチックキャップにおいては、ストラップはスカート部外面に沿って位置しているため、予め形成されていても、外部との接触により引っかかって破断されてしまうことが防止されている。またタンパーエビデントバンドの上端に半径方向に突出したガイド部を形成し、このガイド部の径をストラップが形成する円弧の最大径とほぼ同等乃至それ以上の大きさとすることで、キャップの搬送などの際にまずガイド部が外部と接触するため、上記構成と相俟って、ストラップの破断を有効に防止することが可能となるのである。
更に、ストラップを１個、多くとも２〜３個程度の橋絡部でキャップスカート部につないでおくことにより、上述した効果を更に効率的に発現することが可能であり、この場合でも橋絡部の形成を必要最小限にとどめることができるため、直接口をつけて飲む場合にも口当たりを損なうことがない。また、橋絡部を１個設ける場合には、ストラップの両端部のほぼ中間に設けることが好ましい。
【００１２】
本発明を添付図面に基づいて詳細に説明する。
図１は、本発明のプラスチックキヤップの一例の側面図（右半分）及び側断面図（左半分）であり、図２は、図１に示すキャップの側断面図、図３は、図１に示すキャップの上面図であり、図４は、図１に示すキャップの底面図、図５は、図１に示すキャップのストラップ連結部分側から見た側面図であり、図６は、本発明のプラスチックキャップの他の実施形態の上面図であり、図７は、本発明のプラスチックキャップが適用されるパウチ容器の側面図であり、図８は、図７に示すスパウトの側面図であり、図９は、図７のスパウトに図１のキャップを被せた状態の側面図であり、図１０は、図９に示す状態のキャップを開栓後、スパウトの保持部に保持した状態の側面図であり、図１１は、図１０に示す状態の上面図である。
【００１３】
全体を１で示す本発明のプラスチックキャップは、概略的に言って、頂板部１０、頂板部１０の周縁から垂下するスカート部１１から成るキャップ２、スカート部１１の下端に弱化部３を介して一体に成形されたタンパーエビデントバンド４（以下、「ＴＥバンド」という）から成っている。
キャップ２の頂板部１０の内面には、容器口部（図示せず）の内面と密着して密封性を確保するインナーリング１３及び容器口部外面と当接するアウターシール部１４が形成されている。またスカート部内面には螺子部１５が、外面にはローレット溝１６が形成されている。
【００１４】
ＴＥバンド４の内面には、容器口部に形成された突起と係合し、開封時に弱化部３を破断するための突片２０が形成されている。またＴＥバンド４の上部には、半径方向に突出したガイド部２１が形成されている。
図１、図３及び図５から明らかなように、このプラスチックキャップ１においては、一方の端部５ａがスカート部１１の外面下部と連続し、他方の端部５ｂがＴＥバンド４のガイド部２１の上面２２に連続し、且つキャップ本体側端部５ａからキャップの開封方向（図３においては、反時計周りの方向）にスカート部外面に沿って周方向に延びるストラップ５が形成されている。
ＴＥバンド４のガイド部２１は、ストラップ５がスカート部１１の外周面に沿って形成する円弧５ａｂの最大径とほぼ同等乃至それ以上の径、図ではストラップの形成する円弧５ａｂとほぼ同じ径を有しており、そのためストラップ５が上面から見てガイド部２１よりも突出することがなく、搬送の際などにストラップ５が引っかかって破断されてしまうようなことが有効に防止されている。
【００１５】
図に示した本発明のキャップを開封するには、キャップ２のスカート部１１を把持し、これを旋回することにより、キャップ２が上昇し、キャップ２とＴＥバンド４の間の弱化部３が破断される。ストラップ５は、キャップの開封方向に向かってキャップ本体側端部５ａからＴＥバンド側端部５ｂへと延びているため、キャップ２の上昇に伴い、ストラップのキャップ本体側端部５ａはＴＥバンド側端部５ｂに近接すると共に、軸方向上方に移動する。このためキャップの旋回が終わるとストラップは軸方向に延びた状態となって、キャップの容器口部からの取り外しを阻害することがない。
またリシールの際には、キャップ２の下降に伴い、ストラップ５は閉蓋方向にスカート部外面に沿ってその円弧が小さくなり、図に示した状態に再び戻ることが可能となる。
【００１６】
また、本発明のプラスチックキャップにおいては、図６に示す他の実施態様のように、ストラップ５をスカート部外面に橋絡部２３で連結することもできる。これにより、ストラップの長さが長い場合や、ストラップのキャップ本体側端部とＴＥバンド側端部の位置が上下に離れている場合等のように、搬送の際等にストラップが誤って破断されやすいような場合でもストラップの破断を有効に防止できる。
この場合、ストラップの長さやキャップの口径等にもよるが、橋絡部の数は、１個、多くとも２〜３個程度であることが好ましい。これにより開封時のキャップの上昇と共に、橋絡部を容易に破断することが可能であると共に、容器に直接口をつけて内容物を飲む場合など、ストラップが口にあたっても口当たりを損ねることが有効に防止できる。
【００１７】
またキャップをＴＥバンドから完全に分離して使用したい場合に備え、ストラップのキャップ本体側端部とタンパーエビデントバンド側端部におけるスカート部及びＴＥバンドとの連結部分において、スカート部との連結部分５ａの破断強度がタンパーエビデントとの連結部分５ｂの破断強度よりも大きいことが好ましい。すなわち消費者が思い切り引っ張ってキャップをＴＥバンドから取り外した場合であっても、ＴＥバンド側の連結部分が破断されるようにしておき、破断後はストラップがキャップ側に位置するようにしておくことが、ストラップが注出の邪魔になることがないので好ましい。
【００１８】
本発明のプラスチックキャップにおいて、ストラップは、図１乃至図４に示した具体例のように、キャップスカート部の下部からＴＥバンドのガイド部上面まで、ほぼ水平にスカート部外面をほぼ一周するようなものの他、キャップの口径或いは高さによって、スカート部に沿って形成する円弧の長さを変えること、或いはストラップのキャップ本体側端部の位置を上下させること等を組み合わせることによってその長さや位置を変化させることができる。
【００１９】
本発明のプラスチックキャップは、ポリエチレン、ポリプロピレン等の従来プラスチックキャップに用いられていた樹脂を用いて射出成形等により一体的に成形することができる。
また本発明のプラスチックキャップは、種々の容器に適用できるが、特に直接口をつけて飲み、リシールすることが多い、小型のペットボトルや可撓性パウチのスパウトに好適に使用できる。
【００２０】
例えば、このようなパウチ容器のスパウトを示す図７〜図９を参照して、この容器のスパウト３０は、螺子部３０、顎部３２、リング状保持部３３、及びパウチ溶着部３４を有しており、パウチ溶着部３４の上端部分にはフランジ３５が設けられている。かかるスパウト３０の螺子部に前述した本発明のプラスチックキャップ（全体として５０で示されている）が装着される。
【００２１】
本発明においては、例えば、このようなスパウト３０のリング状保持部３３及びパウチ溶着部３４の上端のフランジ３５のそれぞれに、互いに軸方向に整合するように、切欠き３７を設けておくことが好ましい。即ち、本発明においては、キャップ５０を開栓したとき、スパウトから取り除かれたキャップ５０は、前述したストラップ５によりスパウト３０側に残ったＴＥバンド４に連なっているが、このキャップ５０がスパウト３０から垂れ下がっていると、スパウト３０からの喫飲等の内容液の注ぎ出しの邪魔になることがある。しかるに、上記のように切欠き３７を設けておけば、図１０及び図１１に示されているように、スパウト３０（ＴＥバンド４）から垂れ下がっているキャップ５０のスカート部の下端を、リング状保持部３３及びパウチ溶着部３４の上端のフランジ３５のそれぞれに形成されている切欠き３７に嵌め込んで固定することができ、垂れ下がったキャップ５０がスパウト３０からの内容液の注ぎ出しを妨げることがない。
【００２２】
尚、上記のような切欠き３７は、リング状保持部３３及びフランジ３５のそれぞれについて、２箇所の位置に形成しておくことが好適である。即ち、２箇所の位置に切欠き３７を形成しておけば、キャップ５０がどのような位置で垂れ下がっていたとしても、そのスカート部を容易に切欠き３７に嵌め込んで固定することができるからである。
【図面の簡単な説明】
【００２３】
【図１】本発明のプラスチックキヤップの一例の側面図（右半分）及び側断面図（左半分）である。
【図２】図１に示すキャップの側断面図である。
【図３】図１に示すキャップの上面図である。
【図４】図１に示すキャップの底面図である。
【図５】図１に示すキャップのストラップ連結部分側から見た側面図である。
【図６】本発明のプラスチックキャップの他の実施形態の上面図である。
【図７】本発明のプラスチックキャップが適用されるパウチ容器の側面図である。
【図８】図７に示すスパウトの側面図である。
【図９】図７のスパウトに図１のキャップを被せた状態の側面図である。
【図１０】図９に示す状態のキャップを開栓後、スパウトの保持部に保持した状態の側面図である。
【図１１】図１０に示す状態の上面図である。
【符号の説明】
【００２４】
１  プラスチックキャップ、２  キャップ、３  弱化部、４  タンパーエビデントバンド、５  ストラップ、５ａ  キャップ本体側端部、５ｂ  ＴＥバンド側端部、１０  頂板部、１１  スカート部、２１  ガイド部  ２２  ガイド部上面。
【図１】
2007168842.tif 000003
【図２】
2007168842.tif 000004
【図３】
2007168842.tif 000005
【図４】
2007168842.tif 000006
【図５】
2007168842.tif 000007
【図６】
2007168842.tif 000008
【図７】
2007168842.tif 000009
【図８】
2007168842.tif 000010
【図９】
2007168842.tif 000011
【図１０】
2007168842.tif 000012
【図１１】
2007168842.tif 000013